(57)【特許請求の範囲】
【請求項１】
本管に開削された挿通穴を覆うように本管の内面に当接可能な部分円筒面状の本管当接部と、該本管当接部から前記挿通穴を通して外方へ延びる筒状の枝管接続部とを一体に有する枝管接続部材が設けられ、
該枝管接続部材が、少なくとも２個の分割片を、ヒンジ軸を用いて屈折伸長可能に連結することにより、前記挿通穴を通過可能な大きさに変形および復帰可能とされた枝管接続部構造であって、
前記２個の分割片どうしの合わせ部が、前記ヒンジ軸の軸線方向への位置ズレを防止可能な凹凸嵌合形状部を少なくとも一つ有するものとされたことを特徴とする枝管接続部構造。
【請求項２】
凹凸嵌合形状部を少なくとも一つ有する２個の分割片が同一形状とされると共に、前記枝管接続部材が、同一形状の２個の分割片を抱き合わせに組み合わせたものとされることを特徴とする請求項１記載の枝管接続部構造。
【発明の詳細な説明】
【技術分野】
【０００１】
この発明は、枝管接続部構造に関するものである。
【背景技術】
【０００２】
例えば、既設の配管（本管）に対して枝管を接続するのに分岐継手が用いられている（例えば、特許文献１参照）。
【０００３】
上記特許文献１の分岐継手は、継手管と、継手管の中間部に外嵌されたシールゴムとを有している。継手管は、本管に開削された挿通穴へ挿通する端部に、膨出部を有している。
【０００４】
そして、本管の挿通穴へ継手管の膨出部を有する端部を挿通して、継手管の中間部に外嵌されたシールゴムを挿通穴の位置に保持しつつ継手管を引上げることによって、膨出部でシールゴムを拡径させて継手管を挿通穴の位置に固定すると共に、挿通穴を密封し得るようにしている。
【先行技術文献】
【特許文献】
【０００５】
【特許文献１】特許第３４５０８８６号
【発明の概要】
【発明が解決しようとする課題】
【０００６】
しかし、上記特許文献１に記載された分岐継手では、シールゴムによる継手管の挿通穴への取付強度や挿通穴の密封性が低く、また、本管に開削される挿通穴が大きくなって本管の強度が低下するという問題があった。
【０００７】
そこで、上記したような問題を解消するため、以下のような分岐継手の開発が進められている。この分岐継手は、図８に示すような枝管接続部材３を用いて本管に継手管を取付けるようにするものである。この枝管接続部材３は、本管に開削された挿通穴を覆うように本管の内面に当接可能な部分円筒面状の本管当接部１と、この本管当接部１から挿通穴を通して外方へ延びる筒状の枝管接続部２とを一体に有するものとされる。継手管は、上記した枝管接続部２に接続される。
【０００８】
そして、この枝管接続部材３を、少なくとも２個の分割片４，５を、ヒンジ軸６を用いて屈折伸長可能に連結したものとすることにより、挿通穴を通過可能な大きさに変形および復帰可能にする。
【０００９】
このような変形および復帰可能な枝管接続部材３を用いることにより、挿通穴への取付強度や密封性を高めると共に、本管に開削する挿通穴を小さくして本管の強度低下を防止することが可能となる。
【００１０】
しかし、上記枝管接続部材３では、２個の分割片４，５どうしの合わせ部７を、図８に示すように、一方の分割片４からヒンジ軸６を越えて他方の分割片５へと向かう段差形状部８を、ヒンジ軸６の軸線方向に沿って繰り返し有するものとした場合に、図９に示すように、２個の分割片４，５どうしの合わせ部７が、不用意にヒンジ軸６の軸線方向へ位置ズレて外れてしまうおそれが生じる。
【課題を解決するための手段】
【００１１】
上記課題を解決するために、本発明は、本管に開削された挿通穴を覆うように本管の内面に当接可能な部分円筒面状の本管当接部と、該本管当接部から前記挿通穴を通して外方へ延びる筒状の枝管接続部とを一体に有する枝管接続部材が設けられ、該枝管接続部材が、少なくとも２個の分割片を、ヒンジ軸を用いて屈折伸長可能に連結することにより、前記挿通穴を通過可能な大きさに変形および復帰可能とされた枝管接続部構造であって、前記２個の分割片どうしの合わせ部が、前記ヒンジ軸の軸線方向への位置ズレを防止可能な凹凸嵌合形状部を少なくとも一つ有するものとされたことを特徴とする。
【発明の効果】
【００１２】
本発明によれば、上記構成によって、以下のような作用効果を得ることができる。即ち、２個の分割片どうしの合わせ部を、凹凸嵌合形状部を少なくとも一つ有するものとすることにより、２個の分割片どうしの合わせ部が不用意にヒンジ軸の軸線方向へ位置ズレして外れてしまうのを凹凸嵌合形状部によって防止することができる。
【図面の簡単な説明】
【００１３】
【図１】補修管の縦断面図である。
【図２】図１の横断面図である。
【図３】図２の部分拡大図である。
【図４】実施例１にかかる枝管接続部材の斜視図である。
【図５】（ａ）は図４の平面図、（ｂ）はその側面図、（ｃ）は変形した状態を示す側面図である。
【図６】実施例２にかかる枝管接続部材の斜視図である。
【図７】（ａ）は図６の平面図、（ｂ）はその側面図、（ｃ）は変形した状態を示す側面図である。
【図８】現在開発中の枝管接続部材の平面図である。
【図９】図８の枝管接続部材が位置ズレを起こしている状態を示す平面図である。
【発明を実施するための形態】
【００１４】
以下、本発明を具体化した実施例を、図面を用いて詳細に説明する。
【００１５】
図１〜図３は各実施例に共通の全体構成、図４、図５は実施例１、図６、図７は実施例２を示すものである。
【００１６】
先ず、図１〜図３を用いて補修管１１について説明する。ここで、図１は縦断面図、図２は横断面図、図３は部分拡大図である。この補修管１１は、老朽化した既設の配管１２の内面に、更生管１３を被覆して補修したものである。既設の配管１２は、例えば、コンクリート製の下水道管などとされる。更生管１３には、例えば、ポリエチレン管や硬質塩化ビニル管などが用いられる。但し、既設の配管１２は、下水道管に限るものではない。また、更生管１３の材質も上記に限るものではない。
【００１７】
そして、このような補修管１１（本管）に対して枝管を接続する場合に、主に、継手管１４と、枝管接続部材１５とを有する分岐継手を用いるようにする。なお、枝管は、補修管１１の最上部を中心に±９０度の範囲の角度に取付けられる。
【００１８】
この場合、継手管１４は、図示しない枝管を挿入固定可能な受口部１６と、枝管接続部材１５へ挿入固定可能な差口部１７とを有するものとされる。
【００１９】
この場合、受口部１６は、枝管を挿入固定可能な球状回動部材１６ａと、この球状回動部材１６ａを回動自在に包持する球殻部１６ｂとを有する球面継手とされている。球面継手の詳細については省略する。但し、受口部１６は、球面継手に限らず、通常のものであっても良い。差口部１７については後述する。
【００２０】
枝管接続部材１５は、補修管１１に開削された挿通穴２１を覆うように補修管１１の内面に当接（または圧接）可能な部分円筒面状の本管当接部２２と、この本管当接部２２から挿通穴２１を通して外方へ延びる筒状の枝管接続部２３とを一体に有している。
【００２１】
そして、枝管接続部２３の先端部と、継手管１４の差口部１７の先端部との間には、両者を連結可能な連結部２５が設けられる。この場合、連結部２５は、図３に示すように、継手管１４の差口部１７の先端部外周から突設された周方向へ延びる突条部２５ａ、および、枝管接続部２３の先端部内周に凹設された周方向へ延びる凹溝部２５ｂなどとされている。この突条部２５ａと凹溝部２５ｂとは互いに嵌合固定し得るものとされる。また、枝管接続部２３の先端部と、継手管１４の差口部１７の先端部とは、外周が面一に連なるように構成されている。但し、連結部２５は、上記に限るものではない。例えば、連結部２５は、継手管１４の差口部１７の先端部外周に凹設された周方向へ延びる凹溝部、および、枝管接続部２３の先端部内周から突設された周方向へ延びる突条部などとしても良い。或いは、連結部２５は、雄ネジ部と雌ネジ部による螺合部や、その他のロック形状などとすることもできる。
【００２２】
なお、枝管接続部２３の先端部外周には、分離防止用バンド部材２６が外嵌される。また、継手管１４の差口部１７の先端部外周には、止水用バンド部材２７が外嵌される。この止水用バンド部材２７は、枝管接続部材１５の表面（本管当接部２２の補修管１１側の面および枝管接続部２３の外周面）に被着されたゴム製などのシール部材２８における、継手管１４の差口部１７まで延長された部分の周囲を押さえるようにするものである。
【００２３】
更に、継手管１４と補修管１１との間には、枝管接続部材１５を引上げて、本管当接部２２を補修管１１の内面に圧接させた状態で固定可能な圧接機構３１が設けられる。この際、補修管１１の内面と本管当接部２２に被着されたシール部材２８との間には、挿通穴２１を取囲むようにシール剤３２が塗布される。
【００２４】
そして、上記した圧接機構３１は、継手管１４の受口部１６と差口部１７との間の部分に形成されたフランジ部３３と、このフランジ部３３と補修管１１の外周面との間に介在される圧縮リング３４とを備えている。この圧縮リング３４は、一端部にフランジ部３３へ当接可能な平坦面を有すると共に、他端部に補修管１１の外周面へ当接可能な円筒状面を有する半割りの筒状のものとされる。この圧縮リング３４は、補修管１１の軸線方向へ延びる（圧縮リング３４の）直径の位置を境に半分に分割されると共に、外周を圧縮リング押圧用バンド部材３５によって結束固定される。加えて、継手管１４のフランジ部３３と圧縮リング３４の平坦面との間には、スペーサ状の調整リング３６を一枚または複数枚介装可能とされている。
【００２５】
そして、例えば、図４に示すように、枝管接続部材１５が、少なくとも２個の分割片４１，４２を、ヒンジ軸４３を用いて屈折伸長可能に連結することにより、挿通穴２１を通過可能な大きさに変形および復帰可能なものとされる。この場合、
枝管接続部材１５は、補修管１１の軸線方向へ延びる（枝管接続部２３の）直径の位置をほぼ境に半分に分割されている。但し、枝管接続部材１５の分割数および分割位置はこれに限るものではない。
【００２６】
このような構成によれば、補修管１１に対して枝管を接続する場合、先ず、補修管１１に挿通穴２１を開削する。そして、ヒンジ軸４３を中心として分割片４１，４２を折曲げることにより枝管接続部材１５を変形させて（例えば、図５（ｃ）参照）挿通穴２１から補修管１１の内部へ挿入し、その後、補修管１１の内部で枝管接続部材１５を元の形状に復帰させる。
【００２７】
この際、枝管接続部材１５には、予め、シール部材２８を被着しておくようにする。また、形状復帰の際に、連結部２５を用いて、枝管接続部２３の先端部と、継手管１４の差口部１７の先端部とを連結させる。更に、連結後に、分離防止用バンド部材２６と止水用バンド部材２７とを取付ける。
【００２８】
そして、圧接機構３１により、枝管接続部材１５を引上げて、本管当接部２２を補修管１１の内面に圧接させる。この際、フランジ部３３と補修管１１の外周面との間に半割りの圧縮リング３４を嵌合し、圧縮リング押圧用バンド部材３５を外嵌して結束固定する。更に必要な場合には、継手管１４のフランジ部３３と圧縮リング３４の平坦面との間にスペーサ状の調整リング３６を介在させる。
【００２９】
最後に、継手管１４の受口部１６に枝管を挿入固定する。
【００３０】
このように、変形および復帰可能な枝管接続部材１５を用いることにより、挿通穴２１への取付強度や密封性を高めると共に、補修管１１に開削する挿通穴２１を小さくして本管の強度低下を防止することが可能となる。
【００３１】
以上は、以下の各実施例において共通な事項である。
【００３２】
以下、各実施例について説明する。
【実施例１】
【００３３】
＜構成＞以下、構成について説明する。
【００３４】
図４、図５は、この実施例を示すものである。
【００３５】
この実施例では、枝管接続部材１５を構成する２個の分割片４１，４２どうしの合わせ部４４が、ヒンジ軸４３の軸線方向への位置ズレを防止可能な凹凸嵌合形状部４５を少なくとも一つ有するものとされる。
【００３６】
ここで、凹凸嵌合形状部４５は、一方の分割片４１からヒンジ軸４３の軸線を越えて他方の分割片４２へと向かう段差形状部４６と、他方の分割片４２からヒンジ軸４３の軸線を反対に越えて一方の分割片４１へと向かう逆段差形状部４７とを組み合わせたものとされる。
【００３７】
この場合には、枝管接続部材１５における枝管接続部２３の内部空間を無視して連続させて考えた場合に、凹凸嵌合形状部４５を一つ有するものとなる。
【００３８】
＜作用効果＞以下、この実施例の作用効果について説明する。
【００３９】
２個の分割片４１，４２どうしの合わせ部４４を、凹凸嵌合形状部４５を少なくとも一つ有するものとすることにより、２個の分割片４１，４２どうしの合わせ部４４が不用意にヒンジ軸４３の軸線方向へ位置ズレして外れてしまうのを凹凸嵌合形状部４５によって防止することができる。
【実施例２】
【００４０】
＜構成＞以下、この実施例の構成について説明する。
【００４１】
図６、図７は、この実施例を示すものである。
【００４２】
凹凸嵌合形状部４５を少なくとも一つ有する２個の分割片４１，４２が同一形状とされる（同形分割片４９）と共に、枝管接続部材１５が、同一形状の２個の分割片４１，４２を抱き合わせに組み合わせたものとされる。
【００４３】
この場合には、凹凸嵌合形状部４５を二つ有するものとされている。
この凹凸嵌合形状部４５は、一方の分割片４１からヒンジ軸４３の軸線を越えて他方の分割片４２へと向かう段差形状部４６と、他方の分割片４２からヒンジ軸４３の軸線を反対に越えて一方の分割片４１へと向かう逆段差形状部４７とを組み合わせたもの、および、上記した逆段差形状部４７と段差形状部４６とを組み合わせたものとを有している。
【００４４】
また、凹凸嵌合形状部４５の分割片４１，４２は、枝管接続部２３の中心位置を中心として１８０度回転させると同じ形になるように分割されている。
【００４５】
＜作用効果＞以下、この実施例の作用効果について説明する。
【００４６】
凹凸嵌合形状部４５を少なくとも一つ有する２個の分割片４１，４２が同一形状とされる（同形分割片４９）と共に、枝管接続部材１５が、同一形状の２個の分割片４１，４２を抱き合わせに組み合わせたものとされることにより、分割片４１，４２の共用化による部品点数の削減と、分割片４１，４２を成形する金型の統合化によるコスト削減とを図ることができるようになる。
【００４７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４８】
１１  補修管（本管）
１５  枝管接続部材
２１  挿通穴
２２  本管当接部
２３  枝管接続部
４１  分割片
４２  分割片
４３  ヒンジ軸
４４  合わせ部
４５  凹凸嵌合形状部
４９  同形分割片
【図１】
0005684062.tif 000002
【図２】
0005684062.tif 000003
【図３】
0005684062.tif 000004
【図４】
0005684062.tif 000005
【図５】
0005684062.tif 000006
【図６】
0005684062.tif 000007
【図７】
0005684062.tif 000008
【図８】
0005684062.tif 000009
【図９】
0005684062.tif 000010